(57)【要約】【課題】枠体を介した視界が大きく遮られる事態を防止した上で、枠体と固定障子との間の取付強度を確保すること。【解決手段】上枠１３、下枠１４及び左右の縦枠１１，１２によって構成した枠体１０と、パネル３１の四周に上框３２、下框３３及び左右の縦框３４，３５を装着することによって構成し、枠体１０に対してケンドン式で配置される固定障子３０とを備えた建具であって、上枠１３及び上框３２には、それぞれ左右方向及び見込み方向への移動が制限された状態で支持部材３８，５０が取り付けられ、上框３２の支持部材５０は、上框３２に対して上下方向に移動可能であり、これらの支持部材３８，５０が互いに重ね合わされた状態で取付ネジ５２によって相互に連結されている。【選択図】図１３
2018204224.tif 000002
【特許請求の範囲】
【請求項１】
枠体と、前記枠体に対してケンドン式で配置される固定障子とを備えた建具であって、
前記枠体及び前記固定障子の框材には、それぞれ支持部材が取り付けられ、前記枠体の支持部材及び前記框材の支持部材は、少なくとも一方が上下方向に移動可能であり、
これらの支持部材が互いに重ね合わされた状態で相互に連結されていることを特徴とする建具。
【請求項２】
前記支持部材は、それぞれ水平方向に沿って延在する連結部を有し、前記連結部を上下に重ねた状態で取付ネジを螺合することにより互いに連結されていることを特徴とする請求項１に記載の建具。
【請求項３】
前記枠体には、上下方向の移動が制限された状態で前記支持部材が取り付けられ、かつ前記框材には、上下方向に移動可能となる状態で前記支持部材が取り付けられていることを特徴とする請求項１に記載の建具。
【請求項４】
前記框材に対して前記支持部材を押圧する弾性部材を備えていることを特徴とする請求項３に記載の建具。
【請求項５】
前記支持部材は、前記枠体の上枠及び前記固定障子の上框に設けられており、
前記枠体の下枠と前記固定障子の下框との間には、前記枠体に対して前記固定障子を下方に移動した際に係合し、前記下枠に対する前記下框の上下に沿った移動及び見込み方向に沿った移動を制限する下方係合手段が設けられていることを特徴とする請求項１に記載の建具。
【発明の詳細な説明】
【技術分野】
【０００１】
本発明は、建具に関するものである。
【背景技術】
【０００２】
面材の周囲に框材が装着された固定障子を枠体に備える建具では、框材と枠材との間にネジを螺合することによって固定障子を枠体に取り付けるようにしている。通常、この種の建具では、上枠と下枠との間に上下方向に沿って方立枠が設けられており、固定障子の召し合わせとなる縦框については方立枠との間にネジを螺合するようにしている（例えば、特許文献１参照）。
【先行技術文献】
【特許文献】
【０００３】
【特許文献１】特開２００１−１２１６１号公報
【発明の概要】
【発明が解決しようとする課題】
【０００４】
上記のように方立枠と縦框との間をネジによって螺合するようにした建具では、縦框として面材の縁部を収容する部分を設けるばかりでなく、ネジを螺合する部分を確保する必要があり、見付け寸法を小さくすることが難しい。方立枠及び縦框は、枠体の中央部分に配置されるものである。このため、例えば面材として透明のガラスを適用した場合にも、枠体の中央部分に配置された見付け寸法の大きい方立枠及び縦框によって枠体の内部の視界が大きく遮られることになる。
【０００５】
特に、枠体に対して固定障子がケンドン式で配置される建具では、つまり固定障子の上框を先に上枠に挿入した後、障子全体を枠体の内部に配置して下框を下枠に当接させるようにした建具では、上枠に対して上框が下方に離隔した状態で枠体に固定障子が固定されるため、上框を上枠に連結することも困難となる。
【０００６】
本発明は、上記実情に鑑みて、枠体を介した視界が大きく遮られる事態を防止した上で、枠体と固定障子との間の取付強度を確保することのできる建具を提供することを目的とする。
【課題を解決するための手段】
【０００７】
上記目的を達成するため、本発明に係る建具は、枠体と、前記枠体に対してケンドン式で配置される固定障子とを備えた建具であって、前記枠体及び前記固定障子の框材には、それぞれ支持部材が取り付けられ、前記枠体の支持部材及び前記框材の支持部材は、少なくとも一方が上下方向に移動可能であり、これらの支持部材が互いに重ね合わされた状態で相互に連結されていることを特徴とする。
【０００８】
この発明によれば、枠体に取り付けられた支持部材及び框材に取り付けられた支持部材の少なくとも一方が上下方向に移動できるため、固定障子をケンドン式で枠体に配置した後、枠体の支持部材と框材の支持部材とを互いに重ね合わせて連結することができる。このため、枠体に方立枠を設けることなく枠体と固定障子との取付強度を確保することが可能となる。しかも、方立枠が不要であり、縦框の見付け寸法も小さく設定することが可能であるため、枠体を介した視界を大きく確保することができるようになる。
【０００９】
また本発明は、上述した建具において、前記支持部材は、それぞれ水平方向に沿って延在する連結部を有し、前記連結部を上下に重ねた状態で取付ネジを螺合することにより互いに連結されていることを特徴とする。
【００１０】
この発明によれば、下方から取付ネジを螺合することができるため、固定障子の取付作業を容易に行うことが可能となる。
【００１１】
また本発明は、上述した建具において、前記枠体には、上下方向の移動が制限された状態で前記支持部材が取り付けられ、かつ前記框材には、上下方向に移動可能となる状態で前記支持部材が取り付けられていることを特徴とする。
【００１２】
この発明によれば、取付ネジを螺合する際に螺合対象となる枠体の支持部材が上下方向に移動しないため、取付ネジを螺合する作業を容易化することができる。
【００１３】
また本発明は、上述した建具において、前記框材に対して前記支持部材を押圧する弾性部材を備えていることを特徴とする。
【００１４】
この発明によれば、框材に対する支持部材の不用意な移動が制限されるため、枠体に対する固定障子の取付作業を容易化することができる。
【００１５】
また本発明は、上述した建具において、前記支持部材は、前記枠体の上枠及び前記固定障子の上框に設けられており、前記枠体の下枠と前記固定障子の下框との間には、前記枠体に対して前記固定障子を下方に移動した際に係合し、前記下枠に対する前記下框の上下に沿った移動及び見込み方向に沿った移動を制限する下方係合手段が設けられていることを特徴とする。
【００１６】
この発明によれば、下枠に対して下框を下方に移動すれば、下枠に対する下框の移動が制限されるため、固定障子の取付作業を容易化することができる。
【発明の効果】
【００１７】
本発明によれば、枠体に取り付けられた支持部材及び框材に取り付けられた支持部材の少なくとも一方が上下方向に移動できるため、固定障子をケンドン式で枠体に配置した後、枠体の支持部材と框材の支持部材とを互いに重ね合わせて連結することができる。このため、枠体に方立枠を設けることなく枠体と固定障子との取付強度を確保することが可能となる。しかも、方立枠が不要であり、縦框の見付け寸法も小さく設定することが可能であるため、枠体を介した視界を大きく確保することができるようになる。
【図面の簡単な説明】
【００１８】
【図１】本発明の実施の形態である建具を浴室から見た図である。
【図２】図１に示した建具を脱衣室から見た図である。
【図３】図１に示した建具の要部縦断面図である。
【図４】図１に示した建具の要部縦断面図である。
【図５】図１に示した建具において可動障子が閉じた状態の横断面図である。
【図６】図１に示した建具において可動障子が開いた状態の横断面図である。
【図７】図１に示した建具の上枠及び固定障子の上框部分を示す要部断面斜視図である。
【図８】図１に示した建具の上枠を示す要部断面側面図である。
【図９】図１に示した建具に適用する支持部材を示したもので、（ａ）は上框に取り付ける支持部材の斜視図、（ｂ）は上枠に取り付ける支持部材の斜視図、（ｃ）は２つの支持部材を重ね合わせた状態の斜視図である。
【図１０】図１に示した建具の下枠に基準部材を取り付けた状態を浴室から見た要部斜視図である。
【図１１】図１に示した建具の下枠に固定障子を取り付けた状態を脱衣室から見た要部斜視図である。
【図１２】図１に示した建具の上枠及び固定障子の上框部分を示すもので、（ａ）は上框を上枠に挿入する以前の要部断面側面図、（ｂ）は上框を上枠に挿入した状態の要部断面側面図である。
【図１３】図１に示した建具の上枠及び固定障子の上框部分を示すもので、（ａ）は上框を上枠に挿入した後に固定障子を鉛直に沿った姿勢に変更した状態の断面側面図、（ｂ）は（ａ）の状態から枠体に対して固定障子を下方に移動した状態の断面側面図、（ｃ）は（ｂ）の状態から上枠の支持部材と上框の支持部材とを上下に重ねてボルトを螺合した状態の断面側面図である。
【発明を実施するための形態】
【００１９】
以下、添付図面を参照しながら本発明に係る建具の好適な実施の形態について詳細に説明する。
【００２０】
（建具の全体概要）
図１〜図６は、本発明の実施の形態である建具を示したものである。ここで例示する建具は、脱衣室と浴室との間の出入口に設置される片引き戸であり、枠体１０の内部に可動障子２０及び固定障子３０を備えて構成してある。枠体１０は、左右の縦枠１１，１２の互いに対向する見込み面１１ａ，１２ａの上下両端部間に上枠１３及び下枠１４を設けることによって矩形状に構成したものである。
【００２１】
可動障子２０及び固定障子３０は、それぞれ透明樹脂やガラス等の透光性を有した矩形状を成すパネル２１，３１と、パネル２１，３１の四周に装着した上框２２，３２、下框２３，３３及び左右の縦框２４，２５、３４，３５とを備えて構成したものである。可動障子２０では、左右の縦框２４，２５の互いに対向する見込み面２４ａ，２５ａの間に上框２２及び下框２３が取り付けてある。固定障子３０においても、左右の縦框３４，３５の互いに対向する見込み面３４ａ，３５ａの間に上框３２及び下框３３が取り付けてある。
【００２２】
これら可動障子２０及び固定障子３０は、浴室から見て可動障子２０の左側に配置される縦框（以下、区別する場合に召合せ框２４という）と、浴室から見て固定障子３０の右側に配置される縦框（以下、区別する場合に固定障子３０の召合せ框３５という）とを互いに見込み方向に並設した場合に、枠体１０の開口を塞ぐことが可能となる大きさに構成してある。本実施の形態では、浴室から見て枠体１０の左側に固定障子３０が配置してあり、枠体１０の右側に構成される枠開口１０Ａが可動障子２０の移動によって開閉されることになる。
【００２３】
枠体１０を構成する枠材１１，１２，１３，１４、可動障子２０を構成する框材２２，２３，２４，２５、固定障子３０を構成する框材３２，３３，３４，３５は、それぞれ樹脂もしくはアルミニウム合金等の金属によって成形した押し出し形材であり、それぞれが長手方向の全長にわたってほぼ一様な断面形状を有するように構成してある。枠体１０の上枠１３、下枠１４及び左右の縦枠１１，１２は、互いに見込み寸法がほぼ同一である。可動障子２０の上框２２、下框２３及び左右の縦框２４，２５についても、互いに見込み寸法がほぼ同一となるように構成してある。これに対して固定障子３０では、下框３３及び左右の縦框３４，３５の見込み寸法が互いにほぼ同一であるものの、上框３２の見込み寸法が下框３３に比べて小さく構成してある。
【００２４】
以下、可動障子２０、固定障子３０及び枠体１０についてそれぞれの構成を詳述し、併せて本発明の特徴部分について説明を行う。なお、本明細書で用いる「見込み方向」とは、図中の矢印Ａで示すように、建具の奥行きに沿った方向である。見込み方向に沿った面については「見込み面」と称し、見込み方向に沿った寸法については「見込み寸法」と称する場合がある。また、「見付け方向」とは、上枠１３及び下枠１４あるいは上框２２，３２や下框２３，３３等のように水平方向に沿って延在するものの場合、見込み方向に直交した上下に沿う方向である。縦枠１１，１２や縦框２４，２５、３４，３５等のように上下方向に沿って延在するものの場合には、見込み方向に直交した水平に沿う方向を「見付け方向」という。見付け方向に沿った面については「見付け面」と称し、見付け方向に沿った寸法については「見付け寸法」と称する場合がある。枠材１１，１２，１３，１４や框材２２，２３，２４，２５、３２，３３，３４，３５の長手方向は、それぞれを押し出し成形する場合の押し出し方向に一致している。
【００２５】
（可動障子２０の構成について）
図３、図５及び図６に示すように、可動障子２０の縦框２４，２５は、見込み寸法に対して見付け寸法が小さい略矩形の断面を有した中空状を成している。本実施の形態では、見込み寸法の１／２よりわずかに小さい見付け寸法を有するように縦框２４，２５が構成してある。可動障子２０の上框２２及び下框２３は、それぞれ見込み方向に対して見付け方向がわずかに大きな縦長略矩形の断面を有した中空状を成している。
【００２６】
これら可動障子２０の上框２２、下框２３及び左右の縦框２４，２５には、それぞれ見込み方向において浴室側に偏った位置に面材収容部２２ｂ，２３ｂ，２４ｂ，２５ｂが設けてある。面材収容部２２ｂ，２３ｂ，２４ｂ，２５ｂは、それぞれの框材２２，２３，２４，２５の内周側となる見込み面２２ａ，２３ａ，２４ａ，２５ａに開口した横断面が矩形状の凹部であり、パネル２１の縁部を収容することのできる寸法に形成してある。本実施の形態では、パネル２１において浴室に臨む表面に支持ヒレ部２２ｃ，２３ｃ，２４ｃ，２５ｃのみが配置されるようにそれぞれの框材２２，２３，２４，２５に面材収容部２２ｂ，２３ｂ，２４ｂ，２５ｂが設けてある。図中の符号２６は、パネル２１において戸先側となる部位の両面から突出するように設けた可動障子２０の取手である。また、符号２７は、可動障子２０において下枠１４に対向する部位に設けたトラックガイドである。このトラックガイド２７は左右の縦框２４，２５から下框２３の長手方向に沿って連続するように設けてある。
【００２７】
（固定障子３０の構成について）
図４〜図６に示すように、固定障子３０の縦框３４，３５は、可動障子２０の縦框２４，２５と同様に見込み寸法に対して見付け寸法が小さい略矩形の断面を有した中空状を成している。浴室から見て固定障子３０の左側に配置される縦框（以下、区別する場合に固定障子３０の左縦框３４という）には係合ヒレ部３４ｄが設けてあり、固定障子３０の召合せ框３５には縦框止水材３６が設けてある。
【００２８】
係合ヒレ部３４ｄは、左縦框３４において浴室側に位置する外周側の縁部から外周に向けて突出した後、脱衣室側に向けて屈曲するように左縦框３４と一体に成形した部分である。縦框止水材３６は、召合せ框３５の浴室に臨む見付け面に設けた装着溝３５ｄを介して召合せ框３５に配設してある。この縦框止水材３６は、可動障子２０が枠開口１０Ａを閉じた場合に召合せ框２４の脱衣室に臨む見付け面に当接することにより、互いの間の止水を行うものである。
【００２９】
固定障子３０の下框３３は、略正方形の断面を有した中空状を成している。この下框３３には、装着溝３３ｄ、収容凹部３３ｅ及び突出ヒレ部３３ｆが設けてある。装着溝３３ｄは、下框３３の下面において浴室側に偏った位置の全長に形成したもので、断面が略矩形で下框３３の下面に開口している。収容凹部３３ｅは、下框３３の下端において装着溝３３ｄよりも脱衣室側となる部位に、装着溝３３ｄに隣接して設けた凹部であり、下框３３の長手方向に沿った全長に設けてある。図からも明らかなように、この収容凹部３３ｅは、見込み寸法及び高さがそれぞれ装着溝３３ｄよりも大きく構成してあり、内部に２つの係合片３３ｇ１，３３ｇ２を有している。浴室側の係合片３３ｇ１は、装着溝３３ｄとの境界となる部分から脱衣室側に向けてほぼ水平に突出した平板状部分である。脱衣室側の係合片３３ｇ２は、下框３３において脱衣室側に位置する見付け壁部３３ｈの下端縁部を浴室側に向けて屈曲した後、下方に向けて屈曲させることにより構成してある。２つの係合片３３ｇ１，３３ｇ２は、互いに上面高さがほぼ同じとなるように構成してある。突出ヒレ部３３ｆは、下框３３の下面から下方に突出した平板状を成す部分であり、下框３３において最も浴室側となる部分に設けてある。
【００３０】
一方、固定障子３０の上框３２は、図４及び図７に示すように、異形の中空状を成すもので、縦框３４，３５よりも見込み寸法が小さく、かつ下框３３よりも見付け寸法が大きい外形を有している。この上框３２は、浴室側の見付け面３２ａが下框３３の見付け面３３ａ及び左縦框３４の見付け面３４ｅとほぼ同じ見込み位置となるように左右の縦框３４，３５の間に取り付けてある。本実施の形態では、底壁部３２１、下方見付け壁部３２２、下方傾斜壁部３２３、摺動支持壁部３２４、上壁部３２５、上方見付け壁部３２６、上方傾斜壁部３２７、見付け支持壁部３２８を有して固定障子３０の上框３２が構成してある。
【００３１】
底壁部３２１は、見込み方向に沿ってほぼ水平に延在した部分である。下方見付け壁部３２２は、底壁部３２１の脱衣室側となる端縁部からほぼ鉛直となるように上方に延在した部分である。下方傾斜壁部３２３は、下方見付け壁部３２２の上端縁から浴室側に向けて漸次上方となるように傾斜延在した部分である。摺動支持壁部３２４は、下方傾斜壁部３２３の上端縁部からほぼ鉛直となるように上方に延在した部分である。上壁部３２５は、摺動支持壁部３２４の上端縁部から浴室側に向けてほぼ水平に延在する部分である。上方見付け壁部３２６は、上壁部３２５の浴室側となる縁部から下方に向けて延在した部分である。上方傾斜壁部３２７は、上方見付け壁部３２６の下端縁部から下方に向けて漸次浴室側となるように傾斜延在した部分である。見付け支持壁部３２８は、上方傾斜壁部３２７の延在端縁部からほぼ鉛直となるように下方に延在した部分である。見付け支持壁部３２８の下端位置は、底壁部３２１とほぼ同じである。
【００３２】
これら固定障子３０の上框３２、下框３３及び左右の縦框３４，３５には、それぞれ見込み方向において浴室側に偏った位置に面材収容部３２ｂ，３３ｂ，３４ｂ，３５ｂが設けてある。面材収容部３２ｂ，３３ｂ，３４ｂ，３５ｂの構成については可動障子２０のものと同様である。また、パネル３１において浴室に臨む表面に支持ヒレ部３２ｃ，３３ｃ，３４ｃのみが配置されるようにそれぞれの框材３２，３３，３４に面材収容部３２ｂ，３３ｂ，３４ｂが設けてある点も可動障子２０と同様である。
【００３３】
（固定障子３０に付属する部材の構成について）
また、上框３２の摺動支持壁部３２４において召合せ框２４に近接する部分には、支持ピン３７を介して支持部材３８が取り付けてある。支持部材３８は、図９の（ａ）に示すように、平板状を成す框取付板部３８ａと、框取付板部３８ａの一端縁部からほぼ９０°の角度を有するように湾曲して延在した平板状の框側連結板部（連結部）３８ｂとを有したものである。框取付板部３８ａの両側縁部には、一端縁部から他端縁部に向けて２つのスリット３８ｃが互いに平行となるように設けてある。框側連結板部３８ｂには、スリット３８ｃの相互間に対応する部位に２つのネジ挿通孔３８ｄが形成してある。ネジ挿通孔３８ｄは、上框３２の長手に沿って並設されたもので、それぞれが上框３２の長手に沿った長孔状を成している。
【００３４】
この支持部材３８は、スリット３８ｃを介して支持ピン３７を上框３２の摺動支持壁部３２４に螺合することにより、框側連結板部３８ｂが脱衣室に向けてほぼ水平となり、かつ上框３２に対して上下方向に移動可能となる状態で上框３２に取り付けてある。上框３２に対する支持部材３８の左右に沿った移動及び見込み方向に沿った移動は支持ピン３７によって阻止されている。図には明示していないが、支持ピン３７の頭部と支持部材３８の框取付板部３８ａとの間には、波形のワッシャ（押圧部材）３９が介在してある。このワッシャ３９は、支持ピン３７の頭部を介して支持部材３８を上框３２の摺動支持壁部３２４に押圧しており、上框３２に対する支持部材３８の不要な移動を制限するように機能している。
【００３５】
一方、固定障子３０には、図１１中の二点鎖線で示すように、召合せ框３５の外周側となる見込み面３５ｅに立上り面３５１及び内底面３５２が設けてある。立上り面３５１及び内底面３５２は、第２止水材１２０よりも脱衣室側となる部位に切欠３５０を設けることにより構成してある。第２止水材１２０は、弾性に富んだ材質によって厚板状に構成したもので、下框３３の装着溝３３ｄから召合せ框３５の下面にわたる部位に下方に突出するように配設してある。図には明示していないが、この第２止水材１２０は、下框３３の装着溝３３ｄに沿って左縦框３４に至るまで連続して配設してある。第２止水材１２０のもう一方の端縁部は、上方に折り曲げて左縦框３４の見込み面に貼り付けてある。立上り面３５１は、召合せ框３５の下端から第２止水材１２０の脱衣室側に位置する縁部に沿って上方に延在したものである。内底面３５２は、立上り面３５１の上端部から脱衣室側に向けてほぼ水平に延在したものである。
【００３６】
（枠体１０の構成について）
浴室から見て枠体１０の右側に配置される縦枠（以下、区別する場合に右縦枠１２という）は、図５及び図６に示すように、見込み板１２ｂ、第１角筒部１２ｃ及び第２角筒部１２ｄを有している。見込み板１２ｂは、見込み方向に沿って延在したほぼ平板状を成す部分である。第１角筒部１２ｃは、見込み板１２ｂの浴室側に位置する端縁部から外周側に突出するように設けた断面が略矩形の中空状を成すものである。第２角筒部１２ｄは、見込み板１２ｂの脱衣室側に位置する端縁部から内周側に突出するように設けた断面が略矩形の中空状を成すものである。図からも明らかなように、第１角筒部１２ｃは、見込み寸法及び見付け寸法がそれぞれ第２角筒部１２ｄよりも小さく構成してある。第２角筒部１２ｄにおいて浴室に臨む見付け面には、第１止水材１５が設けてある。第１止水材１５は、右縦枠１２の浴室に臨む見付け面に設けた装着溝１２ｅを介して右縦枠１２に設けたものである。この第１止水材１５は、可動障子２０が枠開口１０Ａを閉じる位置に配置された場合に、浴室から見て可動障子２０の右側に配置される縦框（以下、区別する場合に可動障子２０の戸先框２５という）の脱衣室に臨む見付け面に当接することにより、互いの間の止水を行うものである。
【００３７】
これに対して浴室から見て枠体１０の左側に配置される縦枠（以下、区別する場合に左縦枠１１という）は、見込み板１１ｂ、第１角筒部１１ｃ、位置決め角筒部１１ｄ及び係合受ヒレ部１１ｅを有している。見込み板１１ｂ及び第１角筒部１１ｃは、右縦枠１２と同じ構成である。位置決め角筒部１１ｄは、左縦枠１１の見込み板１１ｂにおいてもっとも脱衣室側となる端縁部から内周側に突出したものである。見込み板１１ｂからの位置決め角筒部１１ｄの突出寸法は、固定障子３０の左縦框３４において係合ヒレ部３４ｄを含む見付け寸法とほぼ同一である。係合受ヒレ部１１ｅは、見込み板１１ｂにおいて第１角筒部１１ｃと位置決め角筒部１１ｄとの間に位置する部位の内周側から見付け方向に沿って突出した後、浴室側に向けて屈曲したものである。この係合受ヒレ部１１ｅは、左縦框３４の脱衣室に臨む見付け面を位置決め角筒部１１ｄの浴室に臨む見付け面に当接させた場合に係合ヒレ部３４ｄの先端縁部を見込み板１１ｂとの間に挟持することのできる位置に設けてある。
【００３８】
これら左右の縦枠１１，１２に対して上述した可動障子２０は、第２角筒部１２ｄの浴室に臨む見付け面から第１角筒部１２ｃの浴室に臨む見付け面までの見込み範囲内に配置してある。左右方向においては、可動障子２０が枠開口１０Ａを閉じた場合に可動障子２０の戸先框２５が右縦枠１２の第２角筒部１２ｄと見込み方向に並設され、脱衣室から見た場合に第２角筒部１２ｄによって戸先框２５が覆い隠されるように可動障子２０が配置してある。一方、固定障子３０は、左右の縦枠１１，１２に対して位置決め角筒部１１ｄの浴室に臨む見付け面から第２角筒部１２ｄの浴室に臨む見付け面までの見込み範囲内に配置してある。可動障子２０によって枠開口１０Ａを閉じた状態においては、脱衣室から見た場合、固定障子３０の召合せ框３５によって可動障子２０の召合せ框２４が覆い隠されるとともに、位置決め角筒部１１ｄによって固定障子３０の左縦框３４が覆い隠されることになる。
【００３９】
枠体１０の下枠１４は、図３及び図４に示すように、第１水平延在部１４１、第１垂下延在部１４２、第２水平延在部１４３、傾斜延在部１４４、第２垂下延在部１４５を有したものである。第１水平延在部１４１は、下枠１４において脱衣室側に位置し、固定障子３０が載置される部分であり、見込み方向に沿ってほぼ水平に延在している。第１水平延在部１４１において固定障子３０の下框３３よりも脱衣室側に位置する部分には、固定ヒレ部１４６が設けてある。
【００４０】
第１垂下延在部１４２は、第１水平延在部１４１において下框３３の突出ヒレ部３３ｆよりもわずかに脱衣室側となる部分から下方に向けてほぼ鉛直に延在した部分である。この第１垂下延在部１４２には、溝ヒレ部１４７が設けてある。溝ヒレ部１４７は、第１水平延在部１４１よりもわずかに高さの低い位置から浴室側に向けてほぼ水平に突出した部分であり、突出端縁部の上面に装着溝１４７ａを有している。この装着溝１４７ａには、右縦枠１２の装着溝１２ｅに装着した第１止水材１５が一連となるように連続して装着してある。図５及び図６に示すように、この第１止水材１５は、下枠１４においては固定障子３０の召合せ框３５が設けられる部位よりもわずかに右縦枠１２となる部位までの間に装着してある。第１水平延在部１４１と溝ヒレ部１４７との段差は、突出ヒレ部３３ｆの突出寸法とほぼ同等であり、第１水平延在部１４１に固定障子３０を載置させた場合に突出ヒレ部３３ｆを第１垂下延在部１４２の見付け面に当接させることが可能である。
【００４１】
第２水平延在部１４３は、第１垂下延在部１４２の下端縁から浴室側に向けてほぼ水平に延在した部分である。この第２水平延在部１４３には、可動障子２０のトラックガイド２７に対応する部位に下枠１４の長手方向に沿ってトラック１４８が設けてある。トラック１４８は、トラックガイド２７を介して可動障子２０を下枠１４の長手方向に沿って案内するもので、第２水平延在部１４３の上面から突出した状態で第２水平延在部１４３に設けたトラック溝１４３ａに装着してある。傾斜延在部１４４は、第２水平延在部１４３の延在端縁部から浴室側に向けて漸次下方に傾斜したものである。第２垂下延在部１４５は、傾斜延在部１４４の延在端縁部から下方に向けてほぼ鉛直に延在した部分である。
【００４２】
枠体１０の上枠１３は、第１見付けヒレ部１３１、第１水平ヒレ部１３２、鉛直ヒレ部１３３、ガイドヒレ部１３４、第２水平ヒレ部１３５、第２見付けヒレ部１３６を有したものである。第１見付けヒレ部１３１は、上枠１３においてもっとも脱衣室側に位置する部分であり、ほぼ鉛直となるように上方に延在した後、浴室側に向けて屈曲し、さらに鉛直上方に向けて延在している。この第１見付けヒレ部１３１は、下枠１４の第１水平延在部１４１に下框３３を載置させた場合の固定障子３０の上框３２を覆い隠すことができるように、その下端位置が上框３２の下端位置とほぼ等しくなるように設けてある。
【００４３】
第１水平ヒレ部１３２は、第１見付けヒレ部１３１の上端縁部から浴室側に向けてほぼ水平となるように延在する部分であり、見込み寸法が固定障子３０よりも大きく構成してある。この第１水平ヒレ部１３２は、下枠１４の第１水平延在部１４１との間に固定障子３０を上下に移動することができるだけの寸法を確保した位置に設けてある。
【００４４】
第１水平ヒレ部１３２には、上框３２の上壁部３２５の上方となる部位にポケット部１３２ａが設けてある。ポケット部１３２ａは、上枠１３の長手に沿って形成した下方に開口する凹部であり、その内部に換気制御弁１６の基端軸部１６ａを回転可能に収容している。換気制御弁１６は、基端軸部１６ａを中心として回転することにより、上框３２の上方見付け壁部３２６に当接した状態と上方見付け壁部３２６から離隔した状態とに移動することが可能である。図には明示していないが、この換気制御弁１６は、固定障子３０において左右の縦框３４，３５の間に設けた上框３２の長手寸法とほぼ同じ長さに構成してある。
【００４５】
鉛直ヒレ部１３３は、第１水平ヒレ部１３２の延在端縁部から上下方向に向けてほぼ鉛直となるように延在した部分である。ガイドヒレ部１３４は、鉛直ヒレ部１３３の下方部から浴室側に向けてほぼ水平に延在した後、下方に向けてほぼ直角に屈曲延在した部分である。これら鉛直ヒレ部１３３及びガイドヒレ部１３４には、それぞれの下端縁に支持条部１３３ａ，１３４ａが設けてある。支持条部１３３ａ，１３４ａは、互いに対向する位置から互いに近接する方向に延在したもので、互いの延在端縁部間にガイド溝１３７を構成している。ガイド溝１３７は、下枠１４のトラック１４８に対向した位置に開口する切欠であり、上枠１３の長手方向に沿って延在している。本実施の形態では、中間部にレール片を設けることによって互いに平行となる２条のガイド溝１３７を設けるようにしている。第２水平ヒレ部１３５は、ガイドヒレ部１３４の下端から浴室側に向けてほぼ水平に延在した部分である。第２見付けヒレ部１３６は、第２水平ヒレ部１３５の延在端縁部から上下方向に向けてほぼ鉛直に延在した部分である。第２見付けヒレ部１３６の下端位置は、第１見付けヒレ部１３１の下端位置と同一となるように構成してある。
【００４６】
（枠体１０に付属する部材の構成について）
上述の構成を有した枠体１０には、上枠１３に框受部材４０、支持部材５０、止水材取付部材６０及び上枠カバー部材７０が設けてあるとともに、下枠１４に係合部材８０及び基準部材１００が設けてある。框受部材４０、支持部材５０、係合部材８０は、枠体１０に対して固定障子３０を取り付けるためのものである。
【００４７】
框受部材４０は、図７、図８に示すように、カバープレート部４１と当接ブロック部４２とを有したもので、上枠１３において固定障子３０の召合せ框３５に対応する部位に固定してある。カバープレート部４１は、上枠１３の第１見付けヒレ部１３１から鉛直ヒレ部１３３の手前までの間において第１見付けヒレ部１３１の下端よりも上方となる部位を覆うものである。当接ブロック部４２は、カバープレート部４１の召合せ框３５に対向する面において脱衣室側となる部分に設けたもので、浴室に臨む部分に框当接面４２ａを有している。框当接面４２ａは、鉛直方向に沿って延在する平面であり、図には明示していないが、左縦枠１１に設けた位置決め角筒部１１ｄの浴室に臨む見付け面と同一の見込み位置となるように設けてある。
【００４８】
支持部材５０は、上述した固定障子３０の支持部材（以下、区別する場合に框側支持部材３８という）に連結されるものである。本実施の形態では、図９の（ｂ）及び（ｃ）に示すように、枠取付板部５０ａ、スライドガイド板部５０ｂ及び枠側連結板部（連結部）５０ｃを有した支持部材（以下、区別する場合に枠側支持部材５０という）を適用している。枠取付板部５０ａは、上枠１３の第１水平ヒレ部１３２に取り付けられる部分であり、框側支持部材３８とほぼ同じ幅寸法を有した平板状を成している。この枠取付板部５０ａには、両端部にネジ挿通孔５０ｄが設けてある。スライドガイド板部５０ｂは、枠取付板部５０ａの一側縁部において中央となる部分からほぼ９０°の角度を有するように湾曲して延在した平板状を成すものである。このスライドガイド板部５０ｂは、框側支持部材３８に設けた２つのスリット３８ｃの相互間隔よりも小さい幅寸法に構成してある。枠側連結板部５０ｃは、スライドガイド板部５０ｂの延在端部から枠取付板部５０ａと平行となるように湾曲して延在する平板状部分である。この枠側連結板部５０ｃには、框側支持部材３８に設けたネジ挿通孔３８ｄと同一となるピッチで２つのネジ孔５０ｅが形成してある。これら２つのネジ孔５０ｅは、スライドガイド板部５０ｂを框側支持部材３８の２つのスリット３８ｃの間に配置した場合に対応するネジ挿通孔３８ｄに合致されることになる。
【００４９】
この枠側支持部材５０は、枠取付板部５０ａのネジ挿通孔５０ｄを介して上枠１３の第１水平ヒレ部１３２にネジ５１を螺合することにより、枠側連結板部５０ｃが脱衣室に向けてほぼ水平に延在する状態で、上枠１３において框側支持部材３８に対応する部位に取り付けてある。上枠１３に対する枠側支持部材５０の相対移動は、上下方向、左右方向及び見込み方向のいずれに対しても、２つのネジ５１によって阻止されている。上枠１３に取り付けられた枠側支持部材５０のスライドガイド板部５０ｂは、浴室に臨む見付け面５０ｆに対して、固定障子３０に取り付けた框側支持部材３８の框取付板部３８ａを当接させた場合に、固定障子３０の左縦框３４が左縦枠１１の位置決め角筒部１１ｄに当接し、かつ召合せ框３５が框受部材４０の当接ブロック部４２に当接するように、その位置が設定してある。
【００５０】
止水材取付部材６０は、框受部材４０と右縦枠１２との間に位置する部位に設けた中空のブロック状を成すもので、第１水平ヒレ部１３２においてポケット部１３２ａよりも浴室側となる部位から下方に突出している。この止水材取付部材６０には、浴室に臨む部分の下端縁部に装着溝６０ａが設けてある。装着溝６０ａは、浴室側に向けて開口し、上枠１３の長手に沿って延在したものである。装着溝６０ａには、右縦枠１２の装着溝１２ｅに装着した第１止水材１５が一連となるように連続して装着してある。止水材取付部材６０に装着した第１止水材１５は、可動障子２０が枠開口１０Ａを閉じた場合に可動障子２０の上框２２において脱衣室に臨む見付け面の上端縁部に当接することにより、互いの間の止水を行うものである。上枠カバー部材７０は、上枠１３の第１見付けヒレ部１３１から止水材取付部材６０までの間を覆い隠すものである。
【００５１】
係合部材８０は、上述した固定障子３０の係合片３３ｇ１，３３ｇ２とともに下方係合手段を構成するもので、図４に示すように、下枠１４における第１水平延在部１４１の上面において固定障子３０の下框３３によって覆われる位置に設けてある。本実施の形態では、金属等のように弾性を有した薄板状部材によって係合基板８１及び２つの係合片部８２を一体成形した係合部材８０を適用している。係合基板８１は、矩形の平板状を成すもので、下枠１４の長手に沿って縦長に形成してある。２つの係合片部８２は、係合基板８１の浴室側の縁部及び脱衣室側の縁部からそれぞれ上方に向けてほぼ直角に屈曲延在した後、互いに離隔する方向に向けて漸次下方に傾斜延在したものである。この係合部材８０は、係合基板８１を介して下枠１４にネジ８３を螺合することによって下枠１４に取り付けてある。固定障子３０の下框３３を下枠１４の第１水平延在部１４１に載置させ、かつ突出ヒレ部３３ｆを第１垂下延在部１４２の見付け面に当接させた場合、係合部材８０は、係合片部８２の延在端縁部が下框３３の係合片３３ｇ１，３３ｇ２に係合し、これら係合片３３ｇ１，３３ｇ２を介して下框３３の上方及び見込み方向に沿った移動を阻止するように機能する。
【００５２】
基準部材１００は、図１０及び図１１に示すように、載置板部１０１から上方に向けて仕切板部１０２が突出したもので、載置板部１０１を介して下枠１４に取り付けてある。載置板部１０１には、固定障子３０の下框３３に設けた装着溝３３ｄに対応する部位に導入溝１０３が設けてある。仕切板部１０２は、召合せ框３５において右縦枠１２に対向する見込み面に対向し、召合せ框３５の切欠３５０を覆い隠す大きさを有したものである。この仕切板部１０２には、固定障子３０側に台状部１０４が設けてあり、可動障子２０側に止水カバー部１０５が設けてある。台状部１０４は、固定障子３０の立上り面３５１に対向して配置される下方支持面１０４ａ及び内底面３５２に対向して配置される基準当接面１０４ｂを有したものである。台状部１０４の下方支持面１０４ａ及び基準当接面１０４ｂには、当接部止水材１１３が設けてある。当接部止水材１１３は、弾性に富んだ材質によって厚板状に構成したものである。図からも明らかなように、この当接部止水材１１３は、基準当接面１０４ｂに配設した部分の表面が導入溝１０３の形成位置に達するように構成してある。止水カバー部１０５は、下枠１４の第１水平延在部１４１に対応する部位から上方に突出した後、浴室側に向けて湾曲し、さらに浴室側に向けてほぼ水平となるように延在したもので、溝ヒレ部１４７の上方を覆うように構成してある。この止水カバー部１０５には、溝ヒレ部１４７の装着溝１４７ａに装着した第１止水材１５の端縁部が収容され、第１止水材１５において上方に突出する止水ヒレ部１５ａが内表面に圧接された状態にある。第１止水材１５の端部を基準部材１００に圧接させる作業は、第１止水材１５及び基準部材１００の双方が下枠１４に取り付けられたものであるため、煩雑な作業を要することなく実施可能である。
【００５３】
（枠体１０に対する可動障子２０の取り付けについて）
この建具では、図３に示すように、可動障子２０の下面に設けたトラックガイド２７を介して可動障子２０を下枠１４のトラック１４８に載置させるとともに、可動障子２０の上框２２にスライド部材９０を連結させることにより、枠体１０において固定障子３０よりも浴室側となる部位に可動障子２０が配設される。スライド部材９０は、上枠１３の鉛直ヒレ部１３３とガイドヒレ部１３４との間に長手方向に沿って移動可能に配設したもので、ガイド溝１３７を介して垂下する連結ロッド９１を備えている。従って、上記のようにして取り付けた可動障子２０は、トラック１４８の延在方向に沿って移動することが可能であり、枠体１０の枠開口１０Ａを開閉することができるようになる。なお、実際に枠体１０に可動障子２０を取り付ける手順としては、後述する固定障子３０を枠体１０に取り付けた後となる。
【００５４】
（枠体１０に対する固定障子３０の取り付けについて）
この建具では、上述したように、固定障子３０の上框３２を覆い隠すように上枠１３の第１見付けヒレ部１３１及び第２見付けヒレ部１３６が構成してあるため、固定障子３０を枠体１０に配置する場合、ケンドン式で行う必要がある。すなわち、図１２の（ａ）及び（ｂ）に示すように、ケンドン式では、固定障子３０を傾けた状態で上框３２を第１見付けヒレ部１３１と第２見付けヒレ部１３６との間に下方から挿入する。その後、図１３の（ａ）及び（ｂ）に示すように、固定障子３０をほぼ鉛直に沿った姿勢に変更し、そのまま下方に移動して下框３３を下枠１４における第１水平延在部１４１の上面に載置させる。下框３３を下枠１４に載置させた際には、上述したように、係合部材８０の係合片部８２が下框３３の係合片３３ｇ１，３３ｇ２に係合する結果、これら係合片３３ｇ１，３３ｇ２を介して下框３３の下枠１４に対する上方及び見込み方向に沿った移動が阻止される。
【００５５】
一方、上枠１３と上框３２との間においては、図１２の（ｂ）に示すように、固定障子３０の上框３２を第１見付けヒレ部１３１と第２見付けヒレ部１３６との間に挿入すると、上框３２に設けた框側支持部材３８の框側連結板部３８ｂが上枠１３に設けた枠側支持部材５０の枠側連結板部５０ｃに当接し、その後、枠体１０に対する固定障子３０の上方への移動に伴って框側支持部材３８が上框３２に対して適宜下方に移動する。これにより、框側支持部材３８と枠側支持部材５０とが当接することに起因して固定障子３０の上方への移動が制限されることはない。
【００５６】
図１３の（ａ）〜（ｃ）に示すように、固定障子３０を鉛直姿勢に変更し（図１３の（ａ））、その状態のまま固定障子３０を枠体１０に対して下方に移動させた場合には、上框３２とともに框側支持部材３８が下方に移動するため、框側連結板部３８ｂが枠側連結板部５０ｃから離隔した状態となる（図１３の（ｂ））。この状態から上框３２に対して框側支持部材３８を上方に移動させ、スライドガイド板部５０ｂが框取付板部３８ａに当接するとともに、框側連結板部３８ｂが枠側連結板部５０ｃの下面に当接した状態でネジ挿通孔３８ｄを介して枠側連結板部５０ｃのネジ孔５０ｅに取付ネジ５２を螺合させれば、框側支持部材３８が枠側支持部材５０に連結される（図１３の（ｃ））。
【００５７】
このとき、この建具では、枠側支持部材５０が上枠１３に固定され、かつ框側支持部材３８がワッシャ３９によって上框３２に押圧されているため、ネジ５１を螺合する際に框側支持部材３８を手で押さえておく必要がない。しかも、上枠１３の第１見付けヒレ部１３１と上框３２との間に配置された２つの支持部材３８，５０は、それぞれの連結板部３８ｂ，５０ｃが上下に重ね合わされているため、下方からネジ５１を螺合すれば連結することができる。従って、この建具によれば、ネジ５１を螺合する際の作業を容易に行うことができる。
【００５８】
上記のようにして２つの支持部材３８，５０を互いに連結した状態においては、框側支持部材３８の枠体１０に対する左右方向及び見込み方向に沿った移動が阻止されるため、枠体１０に対して固定障子３０の左右方向及び見込み方向に沿った移動も阻止されることになる。このとき、左縦框３４が左縦枠１１の位置決め角筒部１１ｄに当接し、かつ召合せ框３５が框受部材４０の当接ブロック部４２に当接することによって枠体１０に対する固定障子３０の見込み方向に沿った位置が規定される。また、固定障子３０の左縦框３４に設けた係合ヒレ部３４ｄが左縦枠１１の見込み板１１ｂと係合受ヒレ部１１ｅとの間に挟持されるため、左縦枠１１に対する左縦框３４の離隔方向への移動が阻止される。さらに、係合部材８０によって枠体１０に対する下框３３の上方及び見込み方向に沿った移動が阻止されているのは上述したとおりである。これらの結果、枠体１０に対して固定障子３０が位置決めされた状態で取り付けられることになる。なお、左縦框３４と左縦枠１１との間については、連結プレート１１０を追加して連結しても良い。
【００５９】
このように、上述の建具によれば、枠体１０に固定障子３０を取り付けるに当たって別途方立枠を設ける必要がなく、当然に方立枠と召合せ框３５との間にネジを螺合する必要もない。従って、召合せ框３５の見付け寸法を小さく設定することが可能となり、枠体１０を介した視界を大きく確保することができるようになる。
【００６０】
また、この固定障子３０では、上述したように、上框３２の見込み寸法が縦框３４，３５に対して小さく構成してあり、しかも浴室側の見付け面３２ａが左縦框３４及び下框３３の見付け面３４ｅ，３３ａとほぼ同じ見込み位置となるように左右の縦框３４，３５の間に上框３２が取り付けてある。従って、固定障子３０を枠体１０に取り付けた状態においては、図４に示すように、上枠１３の第１見付けヒレ部１３１と、上框３２の下方見付け壁部３２２、下方傾斜壁部３２３、摺動支持壁部３２４の間に隙間が確保されることになり、固定障子３０を下方に移動した際に構成される第１水平ヒレ部１３２と上壁部３２５との間の隙間と連通することによって浴室と脱衣室との間を連通する通気通路ＡＣが構成される。これにより、可動障子２０によって枠開口１０Ａを閉じた状態においても通気通路ＡＣを通じて浴室と脱衣室との間で通気を行うことが可能となる。しかも、縦框３４，３５の間に対応する部位に換気制御弁１６が配設してある。従って、浴室側から建具の上部に水が掛かったとしても、換気制御弁１６によって脱衣室側への浸入が防止されることになり、通気通路ＡＣを通じて漏水が生じるおそれはない。
【００６１】
さらに、下框３３に設けた第２止水材１２０は、下枠１４との間で圧縮された状態となり、互いの間の止水を行うように機能する。また、第２止水材１２０において召合せ框３５の下面に配設された部分は、基準部材１００の導入溝１０３に嵌まった状態で圧接され、かつその先端縁部が基準部材１００の台状部１０４に設けた当接部止水材１１３の表面に圧接される。可動障子２０によって枠開口１０Ａを閉じた場合には、可動障子２０の下框２３及び召合せ框２４に対しては、下枠１４の第１止水材１５、召合せ框３５の縦框止水材３６がそれぞれ当接し、互いの間の止水を行う。
【００６２】
上述したように、下枠１４の溝ヒレ部１４７に装着した第１止水材１５の端縁部は、仕切板部１０２及び止水カバー部１０５に圧接された状態にある。固定障子３０に装着した第２止水材１２０は、下枠１４の上面から当接部止水材１１３を介して基準部材１００の仕切板部１０２に圧接された状態にある。従って、基準部材１００を介して第１止水材１５と第２止水材１２０とが連続するため、例えば浴室側の水が縦框止水材３６と補助止水材１１２との隙間から脱衣室側に浸入したとしても、第２止水材１２０及び当接部止水材１１３によって止水されることになり、その水が脱衣室に至るおそれはない。
【００６３】
さらに、基準部材１００と召合せ框３５との間においては、当接部止水材１１３を介して台状部１０４が立上り面３５１及び内底面３５２にそれぞれ圧接された状態となる。従って、基準部材１００に対して固定障子３０の建て付け位置がずれた場合にも、当接部止水材１１３の範囲内であれば、召合せ框３５との当接状態が維持されることになり、煩雑な位置決め作業を要することなく止水性を確保することができる。
【００６４】
なお、上述した実施の形態では、浴室と脱衣室との間の出入口に設けられる浴室用の片引き戸を例示しているが、必ずしも浴室と脱衣室との間に設けられるものに限らない。従って、上枠１３と上框３２との間に通気通路ＡＣを有している必要もない。また、可動障子２０の開閉方向はスライドである必要はなく、例えばドアのようにヒンジを介して開閉するものであっても構わない。さらに、固定障子としては、必ずしも縦框を備えている必要はなく、面材の上下にのみ上框及び下框を備えたものであっても良い。なお、固定障子３０が上框３２、下框３３及び左右の縦框３４，３５を備えるものにおいて上述した実施の形態では、上框３２に支持部材３８を設けるようにしているが、必ずしも上框３２である必要はなく、例えば縦框（召合せ框）３５の上部に支持部材を設けるようにしても構わない。
【００６５】
また、上述した実施の形態では、上枠１３に対して上下方向の移動が制限された状態で支持部材５０が取り付けられ、かつ上框３２に対して上下方向に移動可能となる状態で支持部材３８が取り付けられているが、本発明はこれに限定されず、上框３２及び上枠１３の双方に対して上下方向に移動可能となる状態で支持部材３８，５０を取り付けても良いし、上枠１３にのみ上下方向に移動可能となる状態で支持部材５０を取り付けても構わない。なお、枠体の支持部材５０と框材の支持部材３８とは、直接接触している必要はなく、相互間に部材が介在した状態で互いに重ね合わされていても良い。
【００６６】
さらに、上述した実施の形態では、上框に支持部材３８を押圧する弾性部材として波形のワッシャ３９を適用しているが、板バネやコイルバネ等、その他の弾性部材を適用してももちろん良い。
【符号の説明】
【００６７】
１０  枠体、１１，１２  縦枠、１３  上枠、１４  下枠、３０  固定障子、３１  パネル、３２  上框、３３  下框、３３ｇ１，３３ｇ２  係合片、３４，３５  縦框、３８，５０  支持部材、３８ｂ  框側連結板部、３９  ワッシャ、５０ｃ  枠側連結板部、５２  取付ネジ、８０  係合部材
【図１】
2018204224.tif 000003
【図２】
2018204224.tif 000004
【図３】
2018204224.tif 000005
【図４】
2018204224.tif 000006
【図５】
2018204224.tif 000007
【図６】
2018204224.tif 000008
【図７】
2018204224.tif 000009
【図８】
2018204224.tif 000010
【図９】
2018204224.tif 000011
【図１０】
2018204224.tif 000012
【図１１】
2018204224.tif 000013
【図１２】
2018204224.tif 000014
【図１３】
2018204224.tif 000015